(57)【要約】【課題】読取装置が有価証券の読取処理に用いる設定情報の変更を、容易にかつ確実に読取装置に設定させることができる有価証券管理システムを提供する。【解決手段】読取装置４の読取処理に用いる設定情報（レジ情報、券種情報、読取指示情報等）を管理端末３の表示手段３３２上に表示された設定入力画面において更新することにより、サーバ装置２のデータベース（レジＤＢ２５１、券種ＤＢ２５２、読取指示ＤＢ等）が更新される。読取装置４の設定更新手段４６１はサーバ装置２に設定情報の変更の有無を照会し、サーバ装置２より取得した設定情報に基づいて、読取装置４に記憶されたマスタファイルを更新する。読取装置４は、最新の設定情報に基づいて有価証券の読取処理を行う。【選択図】図４
2008226029.tif 000002
【特許請求の範囲】
【請求項１】
有価証券が有する情報を読み取る複数の読取装置と、前記読取装置に接続され、当該読取装置が有価証券の識別処理に用いる設定情報を生成する少なくとも１つの管理端末と、通信ネットワークを介して前記管理端末に接続されたサーバ装置とを有する有価証券管理システムであって、
前記管理端末は、生成した設定情報を、前記通信ネットワークを介して前記サーバ装置に送信し、
前記サーバ装置は、前記管理端末が生成した前記設定情報を記憶するためのデータベースを有し、前記通信ネットワークを介して前記管理端末から送信された前記設定情報を前記データベースに記憶し、
前記複数の読取装置は、前記サーバ装置の前記データベースに記憶された前記設定情報を取得して、当該設定情報に基づいて有価証券の読み取りを実行するものであり、
前記設定情報は、前記複数の読取装置において読取り可能な券種情報を含む
ことを特徴とする有価証券管理システム。
【請求項２】
前記サーバ装置は、前記設定情報に関する情報を入力するための設定入力画面を生成する入力画面生成手段を有し、
前記管理端末は、表示手段と、入力部とを有し、前記通信ネットワークを介して前記サーバ装置から前記入力画面生成手段が生成した前記設定入力画面を取得して前記表示手段に表示させ、当該設定入力画面における前記入力部による入力に基づいて前記設定情報を生成する
ことを特徴とする請求項１に記載の有価証券管理システム。
【請求項３】
有価証券が有する情報を読み取る複数の読取装置と、通信ネットワークを介して前記読取装置に接続されたサーバ装置とを有する有価証券管理システムであって、
前記読取装置は、有価証券の識別処理に用いる設定情報を生成して前記通信ネットワークを介して前記サーバ装置に送信し、
前記サーバ装置は、前記読取装置が生成した前記設定情報を記憶するためのデータベースを有し、前記通信ネットワークを介して前記読取装置から送信された前記設定情報を前記データベースに記憶し、
前記複数の読取装置は、前記サーバ装置の前記データベースに記憶された前記設定情報を取得して、当該設定情報に基づいて有価証券の読み取りを実行するものであり、
前記設定情報は、前記複数の読取装置において読取り可能な券種情報を含む
ことを特徴とする有価証券管理システム。
【請求項４】
前記サーバ装置は、前記設定情報に関する情報を入力するための設定入力画面を生成する入力画面生成手段を有し、
前記読取装置は、表示手段と、入力部とを有し、前記通信ネットワークを介して前記サーバ装置から前記入力画面生成手段が生成した前記設定入力画面を取得して前記表示手段に表示させ、当該設定入力画面における前記入力部による入力に基づいて前記設定情報を生成する
ことを特徴とする請求項３に記載の有価証券管理システム。
【請求項５】
前記設定情報は、多種類の券種に共通する読取位置、或いは読取り頻度の高い券種における読取位置から優先的に識別処理を行うよう前記読取装置の読取動作を規定する制御情報を含む
ことを特徴とする請求項１乃至４のいずれか一項に記載の有価証券管理システム。
【請求項６】
有価証券の識別処理に用いる設定情報に基づいて有価証券が有する情報を読取装置によって読み取り、有価証券を管理する有価証券管理方法であって、
読取装置によって読取り可能な券種情報を含む前記設定情報をサーバ装置に記憶させるステップと、
読取装置が前記サーバ装置に記憶されている前記設定情報を取得し、前記設定情報に基づいて有価証券の読み取りを実行するステップと
を含む
ことを特徴とする有価証券管理方法。
【請求項７】
前記設定情報は、多種類の券種に共通する読取位置、或いは読取り頻度の高い券種における読取位置から優先的に識別処理を行うよう前記読取装置の読取動作を規定する制御情報を含む
ことを特徴とする請求項６に記載の有価証券管理方法。
【発明の詳細な説明】
【技術分野】
【０００１】
本発明は、例えば商品券、ギフト券、地域通貨等、特定の範囲内で金銭の代わりに通用される有価証券の管理を行う有価証券管理システム及びその管理方法に関する。
【背景技術】
【０００２】
商品券、ギフト券、地域通貨等、特定の範囲内で金銭の代わりに通用される有価証券は、発行会社或いは発行団体がそれぞれ独自の金券（有価証券）を発行して流通され、消費者は買い物をする際に当該金券の通用する商店や百貨店等の取扱店において使用し、その使用された金券（回収券）を、発行会社等が取扱店から回収することにより、使用された金券分の金額を、発行会社等が取扱店に支払い清算する、といった仕組みが形成されている。しかし、このような仕組みでは、取扱店が回収した有価証券を発行会社等に搬送する際の輸送費がかさむ、という問題や、回収され発行会社等に搬送された有価証券の管理等に多大な労力がかかる、という問題があった。
【０００３】
このような問題を解消するため、出願人は、例えば特許文献１に示すシステムを提案した。すなわち、百貨店等の各取扱店に管理端末と読取装置とを設置し、管理センタにサーバ装置を設置して、管理端末とサーバ装置とを通信ネットワークに接続してデータ通信を行えるように構成し、システム全体をサーバ装置によって統括、管理するシステムである。このようなシステムにおいて、クレジット・信販会社等の発行元が、それぞれ種類の異なる商品券や地域通貨等の有価証券を発行し、取扱店が、消費者（顧客）に商品等を販売した際に対価として有価証券を受け取ると、読取装置で有価証券を読み取らせて、券種、金額等のデータを取得し、管理端末を介してそれらのデータをサーバ装置に送信する。サーバ装置は、取扱店の読取装置から送信された有価証券のデータを受信して管理を行い、取扱店と発行元との間で、有価証券の額面の金額分を清算するというものである。
【０００４】
【特許文献１】特開２００６−１６３９７１号公報
【発明の開示】
【発明が解決しようとする課題】
【０００５】
しかしながら、特許文献１に開示された有価証券管理システムにおいては、キャッシュレジスタに付属する有価証券の読取装置で読取ることができる券種を追加等する場合、個々の読取装置に対して、読取り可能な券種の追加等の設定作業を行う必要がある。この場合、読取装置が付属するキャッシュレジスタが多数並び、読取装置が多く存在するような店舗では、個々の読取装置に対して行う設定作業は煩雑であり、多大な労力を要する。
【０００６】
そこで、本発明は、上述の問題を解消するために、読取装置によって読取り可能な有価証券の券種の変更を、容易かつ確実に読取装置に設定することができる有価証券管理システム及び有価証券管理方法を提供することを目的とする。
【課題を解決するための手段】
【０００７】
本発明に係る有価証券管理システムは、有価証券が有する情報を読み取る複数の読取装置と、前記読取装置に接続され、当該読取装置が有価証券の識別処理に用いる設定情報を生成する少なくとも１つの管理端末と、通信ネットワークを介して前記管理端末に接続されたサーバ装置とを有する有価証券管理システムであって、前記管理端末は、生成した設定情報を、前記通信ネットワークを介して前記サーバ装置に送信し、前記サーバ装置は、前記管理端末が生成した前記設定情報を記憶するためのデータベースを有し、前記通信ネットワークを介して前記管理端末から送信された前記設定情報を前記データベースに記憶し、前記複数の読取装置は、前記サーバ装置の前記データベースに記憶された前記設定情報を取得して、当該設定情報に基づいて有価証券の読み取りを実行するものであり、前記設定情報は、前記複数の読取装置において読取り可能な券種情報を含むことを特徴とする。
【０００８】
この構成によれば、管理端末は、有価証券の識別処理に用いる設定情報を生成して、通信ネットワークを介してサーバ装置に送信し、サーバ装置は、管理端末から送信された設定情報をデータベースに記憶する。設定情報には、複数の読取装置において読取り可能な券種情報が含まれている。そして、複数の読取装置はサーバ装置のデータベースに記憶された設定情報を取得して、当該設定情報に基づいて有価証券の読み取りを実行する。このように、管理端末における設定情報の生成によって、複数の読取装置がその設定情報を取得し有価証券の読み取りを実行するため、読取装置によって読取り可能な有価証券の券種の変更を、容易かつ確実に読取装置に設定することができる。また、大型店舗などで複数の管理端末を有する構成であっても、管理端末が生成した設定情報はサーバ装置により一元管理され、一元管理された設定情報を読取装置がサーバ装置から取得する構成としたため、管理端末の管理負荷を軽減でき、読取装置は更新された設定情報に基づいて有価証券の読み取りを実行することができる。
【０００９】
上記有価証券管理システムにおいて、前記サーバ装置は、前記設定情報に関する情報を入力するための設定入力画面を生成する入力画面生成手段を有し、前記管理端末は、表示手段と、入力部とを有し、前記通信ネットワークを介して前記サーバ装置から前記入力画面生成手段が生成した前記設定入力画面を取得して前記表示手段に表示させ、当該設定入力画面における前記入力部による入力に基づいて前記設定情報を生成するよう構成するとよい。これにより、管理端末のオペレータは、サーバ装置が生成する設定入力画面を利用して、設定情報を生成させることができる。
【００１０】
或いは、本発明に係る有価証券管理システムは、有価証券が有する情報を読み取る複数の読取装置と、通信ネットワークを介して前記読取装置に接続されたサーバ装置とを有する有価証券管理システムであって、前記読取装置は、有価証券の識別処理に用いる設定情報を生成して前記通信ネットワークを介して前記サーバ装置に送信し、前記サーバ装置は、前記読取装置が生成した前記設定情報を記憶するためのデータベースを有し、前記通信ネットワークを介して前記読取装置から送信された前記設定情報を前記データベースに記憶し、前記複数の読取装置は、前記サーバ装置の前記データベースに記憶された前記設定情報を取得して、当該設定情報に基づいて有価証券の読み取りを実行するものであり、前記設定情報は、前記複数の読取装置において読取り可能な券種情報を含むことを特徴とする。
【００１１】
この構成によれば、読取装置は、有価証券の識別処理に用いる設定情報を生成して、通信ネットワークを介してサーバ装置に送信し、サーバ装置は、読取装置から送信された設定情報をデータベースに記憶する。設定情報には、複数の読取装置において読取り可能な券種情報が含まれている。そして、複数の読取装置はサーバ装置のデータベースに記憶された設定情報を取得して、当該設定情報に基づいて有価証券の読み取りを実行する。このように、一台の読取装置における設定情報の生成によって、複数の読取装置がその設定情報を取得し有価証券の読み取りを実行するため、読取装置によって読取り可能な有価証券の券種の変更を、容易かつ確実に読取装置に設定することができる。また、大型店舗などで複数の読取装置を有する構成であっても、読取装置が生成した設定情報はサーバ装置により一元管理され、一元管理された設定情報を読取装置がサーバ装置から取得する構成としたため、読取装置の管理負荷を軽減でき、読取装置は更新された設定情報に基づいて有価証券の読み取りを実行することができる。
【００１２】
上記有価証券管理システムにおいて、前記サーバ装置は、前記設定情報に関する情報を入力するための設定入力画面を生成する入力画面生成手段を有し、前記読取装置は、表示手段と、入力部とを有し、前記通信ネットワークを介して前記サーバ装置から前記入力画面生成手段が生成した前記設定入力画面を取得して前記表示手段に表示させ、当該設定入力画面における前記入力部による入力に基づいて前記設定情報を生成するよう構成するとよい。これにより、読取装置のオペレータは、サーバ装置が生成する設定入力画面を利用して、設定情報を生成させることができる。
【００１３】
さらに、上記有価証券管理システムにおいて、前記設定情報は、多種類の券種に共通する読取位置、或いは読取り頻度の高い券種における読取り位置から優先的に識別処理を行うよう前記読取装置の読取動作を規定する制御情報を含むとよい。この構成により、読取装置の読取動作が、多種類の券種に共通する読取位置、或いは読取り頻度の高い券種における読取り位置から優先的に識別処理を行うため、効率的に識別処理を行うことができる。
【００１４】
また、本発明に係る有価証券管理方法は、有価証券の識別処理に用いる設定情報に基づいて有価証券が有する情報を読取装置によって読み取り、有価証券を管理する有価証券管理方法であって、読取装置に読取り可能な券種情報を含む前記設定情報をサーバ装置に記憶させるステップと、読取装置が前記サーバ装置に記憶されている前記設定情報を取得し、前記設定情報に基づいて有価証券の読み取りを実行するステップとを含むことを特徴とする。
【００１５】
この方法によれば、設定情報は一旦、サーバ装置に記憶され、読取装置は、サーバ装置に記憶されている設定情報を取得して、その設定情報に基づき有価証券の読み取りを実行するため、読取装置によって読取り可能な有価証券の券種の変更を、容易かつ確実に読取装置に設定することができる。また、設定情報はサーバ装置により一元管理され、設定情報を読取装置がサーバ装置から取得する構成としたため、読取装置は更新された設定情報に基づいて有価証券の読み取りを実行することができる。
【００１６】
上記有価証券管理方法において、前記設定情報は、多種類の券種に共通する読取位置、或いは読取り頻度の高い券種における読取り位置から優先的に識別処理を行うよう前記読取装置の読取動作を規定する制御情報を含むとよい。これにより、読取装置の読取動作が、多種類の券種に共通する読取位置、或いは読取り頻度の高い券種における読取り位置から優先的に識別処理を行うため、効率的に識別処理を行うことができる。
【発明の効果】
【００１７】
本発明によれば、読取装置によって読取り可能な有価証券の券種の変更を、容易かつ確実に読取装置に設定することができる。
【発明を実施するための最良の形態】
【００１８】
以下、図面を参照しながら本発明の好適な実施形態について詳細に説明する。
【００１９】
＜第１実施形態＞
図１は、第１実施形態に係る有価証券管理システム１の全体構成図である。図１に示すように、有価証券管理システム１は、有価証券の発行元１００、有価証券の情報を管理する管理センタ２００、有価証券を取り扱う取扱店（店舗）３００や卸商４００等において利用される。発行元１００、管理センタ２００、取扱店（店舗）３００、および卸商４００等に設置された各コンピュータは、通信ネットワーク５によって、互いにデータ通信を行うことができるよう構成されている。ここで用いられる有価証券としては、商品券、金券、ギフト券等を例示することができる。
【００２０】
有価証券の発行元１００としては、例えば、クレジット会社・信用販売会社（信販会社）１０１、サービス会社１０２、ビール・飲料会社１０３、メーカ会社１０４、団体系会社１０５や組合・連合会１０６等を例示することができる。これらの各発行元１００は、それぞれ種類の異なる商品券や金券等の有価証券を発行する。
【００２１】
管理センタ２００には、有価証券の情報を管理するサーバ装置２が設置されている。
取扱店（店舗）３００は、有価証券を取り扱い、例えば有価証券と引き換えに商品を販売する。この取扱店３００は有価証券の受取り店（回収店）となり、顧客（消費者）等から受け取った有価証券の金額を発行元１００から受け取る。なお、取扱店（店舗）３００が受け取る金額は、手数料や加盟店登録料等を差し引かれる場合がある。
【００２２】
取扱店３００としては、百貨店グループ３０１を構成する本店３０１Ａ及びその支店３０１Ｂ，３０１Ｃ、総合スーパーマーケット（ＧＭＳ：General Merchandise Store）３０２やその系列スーパーマーケット（ＳＭ）３０２１、テナント管理事務所３０３、商店街組合３０４、その組合３０４と提携する商店３０４１等を例示することができる。各取扱店３００には、取扱対象としている有価証券を読み取るための読取装置４や管理端末３が設置されている（図２参照）。
【００２３】
卸商（卸商業者）４００は、例えば取扱店（店舗）３００により取り扱われる商品等の卸業者であり、酒類卸商４０１、商品卸商４０２、メーカ卸商４０３等を例示することができる。各卸商４００にも、取扱うことができる有価証券を読取るための読取装置４や管理端末３が設置されている（図２参照）。
【００２４】
このような構成である有価証券管理システム１において、消費者等が取扱店３００や卸商４００で有価証券を用いて商品等を購入すると、取扱店３００や卸商４００の店員は、有価証券を読取装置４に読み取らせる。読取装置４は、有価証券から読み取った金額データや発行元データ、券番号データ等を含むテキストデータ、ならびに画像データを生成して記憶するとともに、読み取ったデータ（読取データ）をサーバ装置２へ送信する。サーバ装置２は、各取扱店３００、卸商４００から送信される有価証券の読取データを受信し管理する。サーバ装置２は、画像データも受信して管理を行うので、取扱店３００や卸商４００で消費者等から受け取った使用済み有価証券を処理センター等に回収することなく、またセキュリティ性を低下させることなく有価証券を管理することができる。
【００２５】
続いて、図２に示すように、百貨店グループ３０１を構成する本店３０１Ａ及びその支店３０１Ｂに設置された読取装置４及び管理端末３と、管理センタ２００に設置されたサーバ装置２によって構成されるシステムを例に挙げ、そのシステム構成図を参照して、有価証券管理システム１について説明する。
【００２６】
図２に示すように、本店３０１Ａには、管理端末３Ａ（３）が設置され、レジコーナーには複数のキャッシュレジスタ（金銭登録機）７Ａが設置されている。各キャッシュレジスタ７Ａ（７）は、管理端末３Ａに接続されている。さらに、各キャッシュレジスタ７Ａには、有価証券を読み取るための読取装置４Ａ（４）がそれぞれ接続されている。そして、顧客等が有価証券を使って商品を購入する際、店員はその有価証券を読取装置４Ａに読み取らせる。読取装置４Ａは、読み取った有価証券の読取データを、その読取装置４Ａが接続されているキャッシュレジスタ７Ａに送信する。キャッシュレジスタ７Ａは、送信された有価証券の読取データに含まれる額面金額を預かり金額に加算し、店員によって入力された商品価格を差し引いて清算する。各キャッシュレジスタ７Ａは、商品売買の履歴情報を管理端末３Ａに送信する。
【００２７】
さらに、各読取装置４Ａによって読み取られた有価証券の読取データは、キャッシュレジスタ７Ａ、管理端末３Ａを介し通信ネットワーク５を通じてサーバ装置２へ送信される。また、読取装置４Ａが有価証券の識別処理に用いる設定情報は、管理端末３Ａに表示した設定入力画面に必要な情報を入力し、通信ネットワーク５を介してサーバ装置２に送信して記憶させることで設定することができる。サーバ装置２に記憶された設定情報は、各読取装置４Ａにダウンロードされ、読取装置４Ａによる有価証券の識別処理に用いられる。
【００２８】
また、支店３０１Ｂには、管理端末３Ｂ（３）が設置され、レジコーナーには複数のキャッシュレジスタ７Ｂが設置されている。各キャッシュレジスタ７Ｂは、商品売買の履歴情報を管理端末３Ｂに送信できるよう、管理端末３Ｂに接続されている。また、管理端末３Ｂには、有価証券を読み取るための読取装置４Ｂ（４）が接続されている。顧客等が、有価証券を使って商品を購入する際、店員は、キャッシュレジスタ７Ｂに、有価証券の額面金額と商品価格を入力する。すると、キャッシュレジスタ７Ｂは、有価証券の額面金額を預かり金額に加算し、商品価格を差し引いて清算する。各キャッシュレジスタ７Ｂで顧客より支払われた有価証券は、随時或いは１日の販売業務終了後、定期的にまとめて読取装置４Ｂに読み取らせる。
【００２９】
読取装置４Ｂによって読み取られた有価証券の読取データは、管理端末３Ｂを介し通信ネットワーク５を通じてサーバ装置２へ送信される。また、読取装置４Ｂが有価証券の識別処理に用いる設定情報は、管理端末３Ｂに表示した設定入力画面に必要な情報を入力し、通信ネットワーク５を介してサーバ装置２に送信して記憶させることで設定することができる。さらに、サーバ装置２に記憶された設定情報は、読取装置４Ｂにダウンロードされ、読取装置４Ｂによる有価証券の識別処理に用いられる。
【００３０】
なお、読取装置４Ａ，４Ｂの双方の設定情報を入力・操作する権限を与えられている者が、管理端末３Ａ又は３Ｂによって設定情報に関する情報を入力する場合、サーバ装置２は、その者が管理端末３Ａ又は３Ｂを起動する際に入力されるユーザＩＤ、パスワードによって認証したうえで、読取装置４Ａ，４Ｂ双方の設定情報を入力・操作できるよう設定入力画面を管理端末３Ａ又は３Ｂに表示させることもできる。また、サーバ装置２を、管理センタ２００を管理するホスト系電算センタに設置されたホスト装置（図示せず）と通信ネットワーク５を介して接続して、ホスト装置に上位の管理を行わせるように構成してもよい。
【００３１】
〔有価証券〕
次に、図３を参照して有価証券管理システム１で取り扱われる、商品券、金券、ギフト券、地域通貨等の有価証券について説明する。説明を簡潔にするため有価証券として紙に印刷された商品券Ｐ１と旅行券Ｐ２とを例として説明する。図３は商品券（有価証券）Ｐ１及び旅行券（有価証券）Ｐ２の形態を模式的に示す図である。図３（Ａ）は、商品券Ｐ１の表面の一例を示し、図３（Ｂ）は、図３（Ａ）に示した商品券Ｐ１の裏面の一例を示す図である。また図３（Ｃ）は、旅行券Ｐ２の表面の一例を示し、図３（Ｄ）は、図３（Ｃ）に示した旅行券Ｐ２の裏面の一例を示す図である。なお、図３に示す有価証券の各種情報の配置は一例であり、情報の配置位置や印刷・加工方法等は有価証券の券種により異なる。
【００３２】
有価証券の表面や裏面には、図３（Ａ）〜（Ｄ）に示すように、有価証券を商品等の代金として利用できる金額を示す金額情報Ｄ１、有価証券の発行元を示す発行元情報Ｄ２、例えば図書券、ビール券、旅行券、ギフト券といった有価証券の種類を示す券種情報Ｄ３、有価証券に有効期限がある場合にその期限を示す有効期限情報Ｄ４、有価証券を特定して管理するために有価証券の１枚１枚に割り当てられた券番号情報Ｄ５及び有価証券が通用する取扱店３００を示す取扱店情報Ｄ６等の属性情報が、通常インクや磁気インク等により番号、文字、画像或いはバーコード等として印刷されている。また、有価証券の偽造防止や真偽判別のために用いられる真偽判別用情報Ｄ７が彩紋、隠し文字、ホログラム及び／又は透かし等として印刷或いは加工されている。更に、券番号情報等の属性情報や真偽判別用情報を記録したＩＣチップが券面又は券内部に実装されてもよい。読取装置４は、有価証券に含まれるこれらの情報の少なくとも一部を読み取り、読取データを生成する。
【００３３】
次に、図４を参照して、読取装置４Ａ（４）、管理端末３Ａ（３）、サーバ装置２について説明する。図４は、簡易的にキャッシュレジスタ７Ａを省略し、取扱店の本店３０１Ａにおける管理端末３Ａが通信ネットワーク５に接続され、読取装置４Ａが管理端末３Ａに接続された有価証券管理システム１の機能ブロック図である。なお、本来、管理端末３Ａには、図２に示すように、複数のキャッシュレジスタ７Ａや複数の読取装置４Ａが接続されている。また、管理端末３Ａと管理端末３Ｂとは同様の構成、機能を有しており、読取装置４Ａと読取装置４Ｂとは同様の構成、機能を有している。
【００３４】
〔読取装置〕
図４に示すように、読取装置４Ａ（４）は、通信Ｉ／Ｆ（インタフェース）４１、入力部４２、出力部４３、読取部４４、記憶部４５及び制御部４６を有する。また読取装置４Ａは、読取処理後の有価証券を格納するスタッカ部（図示せず）及び読取エラー等となった有価証券を格納するリジェクト部（図示せず）を更に有する。
【００３５】
通信Ｉ／Ｆ４１は、ＲＳ２３２Ｃ等のケーブル接続、或いはＬＡＮ等の通信ネットワークを介して管理端末３Ａ（３）とデータ通信を行う。
入力部４２は、オペレータによる入力操作を受け、操作に応じた電気信号を制御部４６に出力するもので、例えばキーボード、マウス、タッチパネル、スイッチ等の入力デバイスより構成される。入力部４２は、オペレータによる入力操作に従って、例えば読取装置４Ａの電源オン、オフ等の制御信号を後述する読取制御手段４６２に出力する。
出力部４３は、制御部４６の制御により読取装置４Ａの読取処理に関する出力、例えば用紙への印字を実行するプリンタ等の印字手段４３１や、画面表示等を実行する液晶ディスプレイ、ＣＲＴディスプレイ等の各種ディスプレイ装置、ＬＥＤ（Light Emitting Diode）ランプ等の表示手段４３２を有する。具体的には、出力部４３は、例えば読取エラーの発生時に、表示手段４３２であるディスプレイへのエラーメッセージ表示或いはＬＥＤランプの点灯等によるエラー情報の出力を実行する。
【００３６】
読取部４４は、制御部４６の制御により有価証券の読取処理を行い、読取結果に応じた電気信号（読取データ）を制御部４６に出力する。制御部４６は、読取データをテキストデータ形式や画像データ形式に変換して、記憶部４５に一時記憶させる。詳細には、読取部４４は、光学読取手段４４１及び／又は磁気読取手段４４２を有する。光学読取手段４４１は、例えばＣＣＤ（Charge Coupled Device）、ＣＭＯＳ（Complementary Metal Oxide Semiconductor）等の光を電気信号に変換する撮像素子を有するイメージスキャナ、デジタルカメラ等の装置であって、有価証券の撮像に応じた読取データを制御部４６に出力する。磁気読取手段４４２は、例えばＭＩＣＲ（Magnetic Ink Character Recognition：磁気インク文字認識）文字で印刷された有価証券の管理情報、例えば金額、発行元、券番号、券種、券名、バージョン（版）等の属性情報を読み取るＭＩＣＲリーダーであって、読取データを制御部４６に出力する。更に、有価証券にＩＣチップが実装されている場合に、そのＩＣチップの情報を読み取るためのＩＣリーダー（ＩＣ読取手段）を備えてもよい。
【００３７】
記憶部４５は、読取処理に関するプログラムや読取処理に必要な設定情報を記憶したり、読取部４４や制御部４６によって生成された読取データ等を一時記憶したりするもので、ＲＯＭ、ＲＡＭ、磁気ディスク、光磁気ディスク、磁気テープ等の記憶デバイスにより構成される。記憶部４５により記憶される設定情報は、例えば、レジマスタ４５１、券種マスタ４５２、特定仕様マスタ４５３、識別用設定マスタ４５４である。
【００３８】
レジマスタ４５１は、取扱店の本店３０１Ａにおけるキャッシュレジスタ（金銭登録機）７Ａに関する管理データであって、例えば、キャッシュレジスタ７Ａの識別番号、設置フロア、売場名称、有価証券を取り扱い可能とさせるキャッシュレジスタであるか否か等のデータである。
券種マスタ４５２は、有価証券の券種に関する管理データであって、例えば、券種毎の発行元、有価証券の名称（券名）、金額、バージョン（版）、有効期限、取扱店の本店３０１Ａにおいて通用可能とする有価証券であるか否か等のデータである。
特定仕様マスタ４５３は、読取部４４によって読み取られた有価証券の券種を特定するための仕様に関する管理データであって、例えば、券種毎の識別番号の表示位置や番号体系等のデータである。
【００３９】
識別用設定マスタ４５４は、読取装置４Ａの読取動作を規定する制御情報に関する管理データであって、例えば、有価証券の識別情報を得るための有価証券券面における読取位置（識別情報の表示位置）及び読取サイズ、複数ある読取位置の読取優先順位等のデータである。ここで、当該位置に識別情報が表示される券種が多種類ある読取位置ほど、或いは読取り頻度が高いほど、読取優先順位を高く設定することで、読取処理における券種識別効率を上げることが可能となる。なお、読取部４４に取り付けられる素子やセンサには個体差があり、設置位置も読取装置４Ａによって若干のズレがあり得るため、各読取装置４Ａごとに識別用設定マスタ４５４のデータを調整するとよい。
【００４０】
これら各種マスタ４５１〜４５４のファイルは、常時或いは１日の読取処理開始前等の所定のタイミングで、サーバ装置２から取得する設定情報に含まれる最新の各種マスタに基づいて更新される。
記憶部４５に一時記憶された読取データは、所定データ量毎、読取処理毎、所定時間毎、或いは１日の読取処理終了後等所定のタイミングで、管理端末３Ａを経由してサーバ装置２にデータ送信される。そのデータ送信が正常に行われると、記憶部４５に一時記憶されていた読取データはクリアされる。
【００４１】
制御部４６は、ＣＰＵ等のプロセッサにより構成され、オペレータの入力部４２を介した操作による制御信号或いは管理端末３Ａによって送信される制御信号に基づいて、読取装置４Ａを統括的に制御する。制御部４６は、設定更新手段４６１、読取制御手段４６２、読取データ生成手段４６３及び判定手段４６４を有する。
【００４２】
設定更新手段４６１は、常時或いは所定のタイミングで、設定情報の変更があるか否かを管理端末３Ａを介してサーバ装置２に照会する。設定情報に変更がある場合、サーバ装置２より最新の設定情報を取得し、取得した最新の設定情報を基に記憶部４５に記憶された各マスタ４５１〜４５４を更新する。
読取制御手段４６２は、オペレータの操作等によって読取処理開始の制御信号が入力されると、記憶部４５に記憶されたレジマスタ４５１を参照して、読取装置４Ａが接続されたキャッシュレジスタ７Ａが有価証券を取り扱い可能とされたキャッシュレジスタであるか否かを判定し、取り扱い可能である場合は識別用設定マスタ４５４を参照して、読取部４４の読取処理を制御する。読取装置４Ａが接続されたキャッシュレジスタ７Ａが有価証券を取り扱うことができない場合は、出力部４３にエラー情報を出力させて処理を終了する。
【００４３】
読取データ生成手段４６３は、記憶部４５に記憶された特定仕様マスタ４５３を参照して、読取部４４より取得した読取データに基づいて発行元データ、金額データ、券種データ及び／又は券面の画像データを含む読取データを生成して、読取装置４Ａが接続されたキャッシュレジスタ７Ａの識別番号等の取扱レジ情報及び売上日情報と関連付けて記憶部４５に一時記憶させる。
判定手段４６４は、記憶部４５に記憶された券種マスタ４５２を参照して、読取データ生成手段４６３が生成した読取データに含まれる券種データに基づいて、読取処理を行った有価証券が取扱店の本店３０１Ａにおいて通用可能とされているか否かを判定する。当該有価証券が通用可能とされていないと判定された場合、当該有価証券はリジェクト部（図示せず）に格納される。読取不良等により券種データが生成されなかった場合も同様に、当該有価証券はリジェクト部に格納される。これらエラーに関する情報は、管理端末３Ａを介してサーバ装置２にデータ送信される。当該有価証券が通用可能とされていると判定された場合、当該有価証券はスタッカ部（図示せず）に格納される。
【００４４】
〔管理端末〕
次に、管理端末３Ａ（３）について説明する。管理端末３Ａは、通信Ｉ／Ｆ３１、入力部３２、出力部３３、記憶部３５及び制御部３６を有する。
【００４５】
通信Ｉ／Ｆ３１は、通信ネットワーク５を介して、例えばＦＴＰ（File Transfer Protocol）やＨＴＴＰ（Hypertext Transfer Protocol）等の予め規定された通信プロトコルにより、サーバ装置２とデータ通信を行う。
入力部３２は、オペレータによる入力操作を受け付け、操作に応じた信号を制御部３６に出力するもので、例えばキーボード、マウス、タッチパネル等の入力デバイスである。入力部３２は、オペレータによる入力操作に従って、例えば読取装置４Ａの読取処理に関する制御信号や各種マスタのメンテナンス画面を呼び出す制御信号を、制御部３６に出力する。
出力部３３は、制御部３６の制御により管理端末３Ａにおける読取装置４Ａの管理に関する出力、例えば印字や画面表示等を実行するもので、プリンタ等の印字手段３３１や、各種ディスプレイ装置等の表示手段３３２を有する。具体的には出力部３３は、券データ検索画面等のディスプレイ表示や券データ検索結果リスト等の管理帳票の出力等を実行する。
【００４６】
記憶部３５は、管理端末３Ａによる読取装置４Ａの制御処理に必要なプログラムや各種マスタのメンテナンス処理に必要なプログラムを記憶したり、各種作業データを一時記憶したりするもので、ＲＯＭ、ＲＡＭ、磁気ディスク、光磁気ディスク、磁気テープ等の記憶デバイスにより構成される。具体的には記憶部３５は、読取装置４Ａが読み取った有価証券の読取データをサーバ装置２へ送信する際に一時保存したり、サーバ装置２から読取装置４Ａに送信された設定情報を一時保存したりする。一時保存した各種データは、正常にデータ通信が行われるとクリアされる。
【００４７】
制御部３６は、ＣＰＵ等のプロセッサにより構成され、オペレータの入力部３２を介した操作による、或いはサーバ装置２からの制御信号に基づいて、管理端末３Ａ全体の動作を統括的に制御する。制御部３６は、入力画面請求手段３６１、設定情報生成手段３６２及び指示情報生成手段３６３を有する。
【００４８】
入力画面請求手段３６１は、サーバ装置２に読取装置４Ａの設定情報を更新するための設定入力画面を請求して、サーバ装置２が例えばインターネットの所定サイト上に用意した設定入力画面を、ウェブブラウザを利用して表示手段３３２に表示させる。設定情報生成手段３６２は、設定入力画面に応じた入力データに基づいて設定情報を生成し、生成した設定情報を、通信Ｉ／Ｆ３１を介してサーバ装置２に送信する。設定情報生成手段３６２により生成される設定情報には、読取装置４Ａのレジマスタ４５１、券種マスタ４５２、特定仕様マスタ４５３、識別用設定マスタ４５４が含まれる。なお、更新するマスタのみの設定入力画面を入力画面請求手段３６１により請求するように構成してもよいし、更新するマスタの指定をせずに設定入力画面を請求して、更新するマスタのみの設定情報を設定情報生成手段３６２により生成して、サーバ装置２に送信するように構成してもよい。
また、入力画面請求手段３６１は、サーバ装置２に読取装置４Ａの読取指示に関する指示入力画面を請求して、サーバ装置２がインターネットの所定サイト上に用意した指示入力画面を、ウェブブラウザを利用して表示手段３３２に表示させる。指示情報生成手段３６３は、指示入力画面に応じた入力データに基づいて指示情報を生成し、生成した指示情報を、通信Ｉ／Ｆ３１を介してサーバ装置２に送信する。
【００４９】
〔サーバ装置〕
続いて、サーバ装置２について説明する。サーバ装置２は、通信Ｉ／Ｆ２１、入力部２２、出力部２３、記憶部２５及び制御部２６を有する。
【００５０】
通信Ｉ／Ｆ２１は、通信ネットワーク５を介して、例えばＦＴＰやＨＴＴＰ等の予め規定された通信方式により、各管理端末３とデータ通信を行う。
入力部２２は、オペレータによる入力操作を受け付け、操作に応じた電気信号を制御部２６に出力するもので、例えばキーボード、マウス、タッチパネル等の入力デバイスにより構成される。
出力部２３は、制御部２６の制御に応じた出力、例えば画像表示や印字等を実行するもので、例えばプリンタ等の印字手段２３１や、各種ディスプレイ装置等の表示手段２３２により構成される。
【００５１】
記憶部２５は、本実施形態に係る機能を含むプログラムや、各読取装置４による有価証券の読取処理に必要な設定情報や、各管理端末３及び各読取装置４に関する管理情報や、有価証券の発行データや読取装置４より取得した読取データ等の券管理情報等を記憶する。この記憶部２５は、例えばＲＡＭ、ＲＯＭ、磁気ディスク、光磁気ディスク、磁気テープ等の記憶デバイスにより構成される。
記憶部２５により記憶される各種管理情報は、図４に示すように、レジＤＢ２５１、券種ＤＢ２５２、特定仕様ＤＢ２５３、識別用設定ＤＢ２５４、読取指示ＤＢ２５５、ユーザＤＢ２５６、及び回収券ＤＢ２５７である。なお、図４に示した構成は一例であり、記憶部２５はさらに別の各種管理情報を記憶していてもよいし、別のデータ構造であってもよい。
【００５２】
レジＤＢ２５１は、取扱店３００毎のキャッシュレジスタ７に関する管理データであるレジマスタ４５１を記憶するデータベースである。
券種ＤＢ２５２は、取扱店３００毎の通用可能とされる有価証券の券種に関する管理データである券種マスタ４５２を記憶するデータベースである。
特定仕様ＤＢ２５３は、有価証券の券種を特定するための仕様に関する管理データである特定仕様マスタ４５３を記憶するデータベースである。
識別用設定ＤＢ２５４は、読取装置４の読取動作を規定する制御情報に関する管理データである識別用設定マスタ４５４を記憶するデータベースである。
【００５３】
読取指示ＤＢ２５５は、各読取装置４の動作制御（読取指示）に関する管理データである読取指示情報を記憶するデータベースである。
上述の各取扱店３００における読取装置４の設定情報及び読取指示情報を記憶するＤＢ２５１〜２５５は、管理端末３から通信Ｉ／Ｆ２１を介して受信した読取装置４の設定情報等に基づいて更新される。
【００５４】
ユーザＤＢ２５６は、各読取装置４、管理端末３又はサーバ装置２を操作するオペレータに関する管理データを記憶するデータベースである。ユーザＤＢ２５６の管理データ項目としては、例えば、オペレータの識別番号、ユーザＩＤ、パスワード、氏名、正社員或いはパート等の属性情報、読取装置４及び管理端末３の操作権限（操作可能な範囲）等が挙げられる。
回収券ＤＢ２５７は、各読取装置４から取得した回収済みの有価証券（回収券）の読取データを記憶するデータベースである。回収券ＤＢ２５７の管理データ項目としては、例えば、回収された有価証券の識別番号、取扱店３００の識別番号、取扱レジの識別番号、売上日、売上金額等が挙げられる。
【００５５】
制御部２６は、ＣＰＵ等のプロセッサにより構成され、サーバ装置２全体を統括的に制御する。制御部２６は、図４に示すように、抽出手段２６１、入力画面生成手段２６２、及び設定管理手段２６３、読取処理指示手段２６４を有する。
【００５６】
抽出手段２６１は、各管理端末３の入力画面請求手段３６１による請求に応じて、記憶部２５に記憶された各種管理ＤＢから取扱店３００における読取装置４に対応する設定情報を抽出する。
入力画面生成手段２６２は、例えばインターネットの所定サイト上に、抽出手段２６１によって抽出された設定情報を含み、ウェブブラウザ上に表示可能な設定入力画面を生成する。
【００５７】
図５は、レジマスタ４５１に新規のキャッシュレジスタ７を登録するための設定入力画面の一例である。この設定入力画面は、入力画面生成手段２６２によって生成される。図５には、レジ情報登録内容として、レジ番号７１、レジ区分７２、売場名７３、レジ属性７４、開／閉設期間７５等を設定するようにレイアウトされている。レジ番号７１は、キャッシュレジスタ７を識別するための識別番号情報である。レジ区分７２は、当該キャッシュレジスタ７が直接ＰＯＳシステムに接続されて売上処理される親レジであるのか、又は直接ＰＯＳシステムに接続されておらず親レジのレジ番号で売上処理される子レジであるのかという区分情報である。売場名７３は、当該キャッシュレジスタ７が設置される売場の名称情報である。レジ属性７４は、取扱店３００毎に、キャッシュレジスタ７の管理に使用する固有の属性を設定できるようにする付加項目である。開／閉設期間７５は、当該キャッシュレジスタ７を稼動させる期間に関する日付情報である。登録ボタン７６は、これらの入力欄に入力された入力データを設定情報生成手段３６２に取り込ませるためのクリックボタンである。
【００５８】
図６は、券種マスタ４５２に新規に通用可能とする有価証券の券種を登録するための設定入力画面の一例である。この設定入力画面は、入力画面生成手段２６２によって生成される。発行企業（発行元）８１、券種８２、金種８３、金額８４等の基本情報、登録方法８５、回収可否８６、金券コード（金券ＣＤ）８７、請求区分８８、属性８９等の回収取扱情報等を設定するようにレイアウトされている。発行企業８１は、当該有価証券の発行元名称等、発行元に関する情報である。券種８２は、有価証券の名称に関する情報であり、例えば、全国百貨店共通商品券、おこめギフト券といった、券面にも記載されている名称等である。金種８３は、有価証券の額面又は物品を表す種別情報であり、例えば５００円、お米１Ｋｇ（５４０円）等といった通用可能な商品等の種別情報である。有価証券の金券名称は、発行企業８１、券種８２、金種８３及び当該有価証券のバージョン（版）情報を組み合わせた名称となる。
【００５９】
金額８４は、当該有価証券の通用可能な商品等の金銭価値を表す情報である。登録方法８５は、当該有価証券を本有価証券管理システム１で取り扱う際に、読取装置４により読取処理を行うのか、又は管理端末３による手入力のみを行うのかという登録方法情報である。回収可否８６は、有価証券を取扱店３００で取扱可能とするか否かの取扱情報である。金券コード８７は、当該有価証券の種別を識別するための識別番号情報である。請求区分８８は、当該有価証券の回収後の精算処理時に、データのみで処理するのか、又は現物の回収された有価証券で処理するのかという区分情報である。属性８９は、取扱店３００毎に券種管理に固有の属性を設定するための付加項目である。さらに、これらの入力欄に入力された入力データを設定情報生成手段３６２に取り込ませるためのクリックボタンが登録ボタン（図示せず）としてレイアウトされる。
【００６０】
また、入力画面生成手段２６２は、後述する読取処理指示手段２６４の読取装置４に対する制御に関する指示入力画面を、ウェブブラウザ上で表示可能に生成する。図７に指示入力画面の一例を示す。図７は、読取装置４の読取処理の指示を入力するための指示入力画面の一例であり、入力画面生成手段２６２は、取扱店３００における読取装置４を読取可能な状態にするよう指示するための開始ボタン９１と、読取処理をしないよう指示するための終了ボタン９２を表示させる。また、表示欄９３に、取扱店３００における読取装置４の読取状況を表示させる。
【００６１】
なお、入力画面生成手段２６２が生成する各設定入力画面や指示入力画面の具体的な画面構成等については図５〜図７に限定されず、読取装置４の各種マスタ４５１〜４５４を更新するための情報を入力できたり、読取装置４の読取指示を入力できたりする構成であればよい。また、取扱店３０１の本店（店舗）３０１Ａ、支店（店舗）３０１Ｂ等の店舗毎の設定入力画面等として、図５〜図７に示す画面のようにすれば、各店舗の事情に合せて臨機応変な設定を行うことができるため好適であるが、取扱店３０１全体の設定入力画面等として構成してもよい。
【００６２】
設定管理手段２６３は、管理端末３の設定情報生成手段３６２から受信した設定情報に基づいて、記憶部２５に記憶された取扱店３００における読取装置４の設定情報を記憶するＤＢ２５１〜２５４のうち、今回変更される設定情報に関するマスタが記憶されているＤＢを更新する。
読取処理指示手段２６４は、各取扱店３００における読取装置４全体を統括的に制御する。具体的には、読取処理指示手段２６４は、管理端末３の指示情報生成手段３６３から受信した読取装置４を読取開始或いは終了とする指示情報に基づいて、記憶部２５に記憶された読取指示ＤＢ２５５を更新して、読取装置４を読取可能な状態にし、或いは読取処理を行わないよう制御する。また、読取処理指示手段２６４は、管理端末３から読取装置４の読取指示情報を受信した場合に、読取装置４の設定情報が更新されるまで読取装置４を読取処理できないよう（待機状態）制御する。
【００６３】
〔設定情報更新処理フロー〕
次に、本有価証券管理システム１により行われる読取装置４Ａの設定情報更新処理フローについて、図８を参照して説明する。図８は、サーバ装置２及び読取装置４Ａの設定情報更新時の動作例を説明するためのフローチャートである。なお、読取装置４Ｂの設定情報を更新する処理フローも同様である。
【００６４】
まず、サーバ装置２の設定情報を更新するまでの処理フローについて説明する。取扱店の本店３０１Ａにおいて、管理者等のオペレータ（ユーザ）が、管理端末３Ａの入力部３２を用い、読取装置４Ａの設定情報を更新するための設定入力画面をサーバ装置２に請求するための操作を行う。オペレータの操作に応じて、管理端末３Ａの入力画面請求手段３６１は、サーバ装置２に設定入力画面を請求する（ＳＴ１）。サーバ装置２の抽出手段２６１は、管理端末３Ａの請求に応じて、記憶部２５に記憶された各種管理ＤＢから取扱店の本店３０１Ａにおける読取装置４Ａの設定情報である各種マスタ４５１〜４５４に対応するマスタ情報を抽出する。サーバ装置２の入力画面生成手段２６２は、抽出手段２６１によって抽出された取扱店の本店３０１Ａにおける読取装置４Ａに対応するマスタ情報を含み、ウェブブラウザ上に表示可能な設定入力画面（図５及び図６参照）を、インターネットの所定サイト上に生成する（ＳＴ２）。
【００６５】
管理端末３Ａの表示手段３３２は、サーバ装置２の入力画面生成手段２６２が生成した設定入力画面（図５及び図６参照）を、ウェブブラウザ上に表示する。取扱店の本店３０１Ａの管理端末３Ａのオペレータは、表示手段３３２により表示された設定入力画面に、当該取扱店の本店３０１Ａのレジ情報や券種情報等の設定を変更する情報について入力部３２を介して入力して、設定を更新するための操作を行う。すなわち、図５及び図６に示す設定入力画面において必要事項を入力し、「登録」ボタン７６（図５参照）等をクリックする。すると、管理端末３Ａの設定情報生成手段３６２は、変更するレジマスタ４５１や券種マスタ４５２等のデータに関する設定情報を作成して、作成した設定情報を通信Ｉ／Ｆ３１により通信ネットワーク５を介してサーバ装置２に送信する（ＳＴ３）。
【００６６】
サーバ装置２の設定管理手段２６３は、受信した設定情報を基に、サーバ装置２の記憶部２５に記憶された取扱店の本店３０１Ａにおける読取装置４Ａの設定情報を記憶するＤＢ２５１〜２５４のうち、今回変更されるマスタ情報が記憶されているＤＢを更新する（ＳＴ４）。具体的には、例えば、取扱店の本店３０１Ａにおいて新しいキャッシュレジスタ７Ａに読取装置４Ａを接続する場合には、当該キャッシュレジスタ７Ａに関する情報（キャッシュレジスタの識別番号、設置フロア等）を有する設定情報が管理端末３Ａの設定情報生成手段３６２により生成され、サーバ装置２のレジＤＢ２５１が更新される。また例えば、取扱店の本店３０１Ａにおいて取り扱い可能とする有価証券の種類を変更する場合には、当該変更を反映した券種マスタ４５２に関する設定情報が、管理端末３Ａの設定情報生成手段３６２により生成され、サーバ装置２の券種ＤＢ２５２が更新される。
【００６７】
続いて、読取装置４Ａの設定情報更新処理フローについて説明する。取扱店の本店３０１Ａにおいて、オペレータ（ユーザ）による読取装置４Ａの入力部４２を介した操作により、或いは管理端末３Ａによって送信される制御信号により、また或いは読取開始前や予め設定された時刻等の所定のタイミングで、読取装置４Ａの設定更新手段４６１は、管理端末３Ａを介して、設定情報の変更があるか否かをサーバ装置２に照会する（ＳＴ５）。サーバ装置２の設定管理手段２６３は、各取扱店３００における全ての読取装置４の設定情報を記憶するＤＢ２５１〜２５４を参照して、当該読取装置４Ａに関するマスタが更新されていると判断した場合、当該マスタに関する設定情報を、通信ネットワーク５及び管理端末３Ａを介して読取装置４Ａに送信する。読取装置４Ａの設定更新手段４６１は、取得した設定情報に基づいて、記憶部４５に記憶された各種マスタ４５１〜４５４を更新する（ＳＴ６）。
【００６８】
〔本有価証券管理システムによる作用効果〕
この有価証券管理システム１においては、オペレータはサーバ装置２がインターネットの所定サイト上に生成した設定入力画面等（図５〜図７参照）を管理端末３の表示手段３３２上に表示して、読取装置４の読取処理に必要な設定情報等（レジマスタ４５１、券種マスタ４５２、特定仕様マスタ４５３、識別用設定マスタ４５４、読取指示情報）を管理端末３で作成する。管理端末３より送信された読取装置４の設定情報に基づいて、サーバ装置２の管理データベース（レジＤＢ２５１、券種ＤＢ２５２、特定仕様ＤＢ２５３、識別用設定ＤＢ２５４、読取指示ＤＢ２５５が更新される。そして読取装置４は、読取処理開始前等の所定のタイミングで、設定情報に変更があるか否かをサーバ装置２に問合せて、サーバ装置２から更新された設定情報を取得し、読取装置４の記憶部４５に記憶された各種マスタを更新する。これにより、読取装置４は、最新の設定情報に基づいて有価証券の読取処理を行うことができる。また、読取装置４の設定情報をサーバ装置２により集中管理して、読取装置４は読取処理開始前等の所定のタイミングでサーバ装置２より取得した最新の設定情報に基づいて読取処理を行う構成としたことにより、有価証券の読取処理に必要な設定情報を取扱店３００の全ての読取装置４に容易にかつ確実に反映させることができる。
【００６９】
また、取扱店３００の管理者等のオペレータは、サーバ装置２により生成される指示入力画面（図７参照）を管理端末３の表示手段３３２上に表示して、指示入力画面を通じて読取装置４の動作を制御する。これにより、管理権限のないオペレータにより読取装置４が不正に動作されないよう防止でき、有価証券管理システム１のセキュリティを向上させることができる。
【００７０】
なお、上記第１実施形態は次のように構成させることもできる。
【００７１】
例えば、上記第１実施形態では、サーバ装置２の入力画面生成手段２６２は、読取装置４の各種マスタ４５１〜４５４の情報を含む設定入力画面を生成することとしたが、管理端末３の入力画面請求手段３６１による設定入力画面の請求時に、新規のキャッシュレジスタや新規券種の追加のみとする情報が付加されている場合には、マスタ情報を含まない設定入力画面を生成するようにしてもよく、或いは、マスタメンテナンスの選択メニューを用意した設定入力画面を生成するようにして、管理端末３の設定入力画面への入力に応じて、管理端末３が必要とするマスタ情報を抽出手段２６１により抽出して、設定入力画面へ表示するようにしてもよい。設定入力画面の画面構成や情報表示のタイミング等は任意に設計することができる。
【００７２】
また、入力画面生成手段２６２によって生成される設定入力画面等は、読取装置４の設定情報を作成するための設定入力画面や、読取装置４の読取指示に関する指示入力画面のみに限定されず、例えば、券面の汚れやしわ等の原因により、読取装置４による機械読取ができない有価証券の券番号等を、管理端末３の入力部３２によりオペレータが手入力するための現物入力画面を、管理端末３の入力画面請求手段３６１の請求に応じて生成するようにしてもよい。更に、入力画面生成手段２６２が生成する設定入力画面等は、ウェブブラウザ上に表示可能なものに限定されない。
【００７３】
また、図２に示す取扱店の支店３０１Ｂのように、キャッシュレジスタ７Ｂを介さずに読取装置４Ｂを管理端末３Ｂに直接接続する場合には、有価証券の読取処理に際して、当該有価証券を受け取ったキャッシュレジスタ７Ｂに関するレジ情報を読取装置４Ｂの入力部４２により入力すればよい。或いはレジ情報を印刷等により表示したシート等を、有価証券の読取処理に先立って読取装置４Ｂの読取部４４により読み取らせるようにすればよい。
【００７４】
或いは、キャッシュレジスタ７は、読取装置４の機能を実現できるＰＯＳ機能付キャッシュレジスタとしてもよい。この場合、取扱店３００の少なくとも１つのキャッシュレジスタ７をＰＯＳ機能付キャッシュレジスタ等の多機能キャッシュレジスタとすればよく、複数のキャッシュレジスタ７を多機能キャッシュレジスタとして読取装置４の設定情報を作成できる構成としてもよい。いずれの場合でも、サーバ装置２で常に最新の設定情報を記憶し、読取装置４はサーバ装置２に記憶された設定情報を照会して、最新の設定情報に基づいて読取処理を行うため、設定情報の変更が読取装置４に反映される以前に有価証券の読取処理が行われるような不具合は発生しない。
【００７５】
＜第２実施形態＞
次に、第２実施形態について説明する。第１実施形態と同様の部分については同じ符号を付し、適宜説明を省略する。第２実施形態が第１実施形態と異なる点は、第１実施形態の読取装置４Ａは管理端末３Ａに接続されて、管理端末３Ａを介してサーバ装置２とデータ通信を行っていたが、第２実施形態の読取装置４Ｃは、図９に示すように、第１実施形態の管理端末３Ａと同様の構成及び機能をさらに有し、サーバ装置２と通信ネットワーク５を介して接続可能とした点である。すなわち、第２実施形態の読取装置４Ｃは、制御部４６に、管理端末３Ａの入力画面請求手段３６１と同様機能の入力画面請求手段４６５、管理端末３Ａの設定情報生成手段３６２と同様機能の設定情報生成手段４６６、及び管理端末３Ａの指示情報生成手段３６３と同様機能の設定情報生成手段４６７を更に有する。
【００７６】
続いて、第２実施形態における読取装置４Ｃの設定情報更新処理フローについて、図１０を参照して説明する。図１０は、第２実施形態に係わるサーバ装置２及び読取装置４Ｃの設定情報更新時の動作例を説明するためのフローチャートである。
【００７７】
まず、サーバ装置２の設定情報を更新するまでの処理フローについて説明する。ＧＭＳ３０２において、管理者等のオペレータ（ユーザ）が、読取装置４Ｃの入力部４２を用い、読取装置４Ｃの設定情報を更新するための設定入力画面をサーバ装置２に請求するための操作を行う。オペレータの操作に応じて、読取装置４Ｃの入力画面請求手段４６５は、サーバ装置２に設定入力画面を請求する（ＳＴ１１）。サーバ装置２の抽出手段２６１は、読取装置４Ｃの請求に応じて、記憶部２５に記憶された各種管理ＤＢからＧＭＳ３０２における読取装置４Ｃの設定情報である各種マスタ４５１〜４５４に対応するマスタ情報を抽出する。サーバ装置２の入力画面生成手段２６２は、抽出手段２６１によって抽出されたＧＭＳ３０２における読取装置４Ａに対応するマスタ情報を含み、ウェブブラウザ上に表示可能な設定入力画面（図５及び図６参照）を、インターネットの所定サイト上に生成する（ＳＴ１２）。
【００７８】
読取装置４Ｃの表示手段４３２は、サーバ装置２の入力画面生成手段２６２が生成した設定入力画面（図５及び図６参照）を、ウェブブラウザ上に表示する。ＧＭＳ３０２の読取装置４Ｃのオペレータは、表示手段４３２により表示された設定入力画面に、当該ＧＭＳ３０２のレジ情報や券種情報等の設定を変更する情報について入力部４２を介して入力して、設定を更新するための操作を行う。すなわち、図５及び図６に示す設定入力画面に必要事項を入力し、「登録」ボタン７６等をクリックする。すると、読取装置４Ｃの設定情報生成手段４６６は、変更するレジマスタ４５１や券種マスタ４５２等のデータに関する設定情報を作成して、作成した設定情報を通信Ｉ／Ｆ４１により通信ネットワーク５を介してサーバ装置２に送信する（ＳＴ１３）。
【００７９】
サーバ装置２の設定管理手段２６３は、受信した設定情報を基に、サーバ装置２の記憶部２５に記憶されたＧＭＳ３０２における読取装置４Ｃの設定情報を記憶するＤＢ２５１〜２５４のうち、今回変更されるマスタ情報が記憶されているＤＢを更新する（ＳＴ１４）。具体的には、例えば、ＧＭＳ３０２において新しい有価証券を取り扱い可能とする場合には、当該有価証券に関する情報（有価証券の発行元、券種、金額、バージョン（版）、有効期限等）が含まれる設定情報が読取装置４Ｃの設定情報生成手段４６６により生成され、サーバ装置２の券種ＤＢ２５２が更新される。また例えば、ＧＭＳ３０２において有価証券を取り扱い可能とするキャッシュレジスタ７（図示せず）を変更する場合には、当該変更を反映したレジマスタ４５１に関する設定情報が、読取装置４Ｃの設定情報生成手段４６６により生成され、サーバ装置２のレジＤＢ２５１が更新される。
【００８０】
続いて、読取装置４Ｃの設定情報更新処理フローについて説明する。ＧＭＳ３０２において、オペレータ（ユーザ）による読取装置４Ｃの入力部４２を介した操作により、或いは読取開始前や予め設定された時刻等の所定のタイミングで、読取装置４Ｃの設定更新手段４６１は、通信ネットワーク５を介して、設定情報の変更があるか否かをサーバ装置２に照会する（ＳＴ１５）。サーバ装置２の設定管理手段２６３は、各取扱店３００における全ての読取装置４の設定情報を記憶するＤＢ２５１〜２５４を参照して、当該読取装置４Ｃに関するマスタが更新されていると判断した場合、当該マスタに関する設定情報を読取装置４Ｃに送信する。読取装置４Ｃの設定更新手段４６１は、取得した設定情報に基づいて、記憶部４５に記憶された各種マスタ４５１〜４５４を更新する（ＳＴ１６）。
【００８１】
このように、第２実施形態によれば、ＧＭＳ３０２に管理端末３を設置しなくても、読取装置４Ｃ単体でサーバ装置２と通信ネットワーク５を介してデータ通信を行い、有価証券の読取処理に用いる設定情報をサーバ装置２に照会し取得して、最新の設定情報に基づいて読取処理を行うことができる。
【００８２】
また第１実施形態と同様に、ＧＭＳ３０２の管理者等のオペレータは、サーバ装置２により生成される指示入力画面（図７参照）を読取装置４Ｃの表示手段４３２上に表示して、指示入力画面を通じて読取装置４Ｃの動作を制御する。これにより、管理権限のないオペレータにより読取装置４Ｃが不正に動作されないよう防止でき、有価証券管理システム１のセキュリティを向上させることができる。
【００８３】
なお、本発明は、上記第１及び第２実施形態に限られない。
【００８４】
例えば、上述した第１及び第２実施形態において、有価証券の真贋判別用情報を利用して、真贋判定を行う構成としてもよい。この場合、サーバ装置２の記憶部２５は真贋判別用データベースをさらに有し、読取装置４は有価証券の真贋判別用情報を読み取り、生成した真贋判別用データを読取データに含めて管理端末３を介してサーバ装置２に送信し、サーバ装置２が受信した読取データに含まれる真贋判別用データに基づいて有価証券の真贋判別を行うようにする。
【００８５】
また、上述した実施形態では、特定の範囲内で金銭の代わりに通用される有価証券の一例として商品券やギフト券を挙げたが、これに限られず、例えば、映画やコンサートのチケット、切符、切手等を有価証券として用いることができる。
【００８６】
また、一つの取扱店（店舗）３００に、複数の管理端末３を設置し、いずれの管理端末３からも読取装置４の設定情報等をサーバ装置２に対して設定できるようにしてもよい。いずれの管理端末３を用いる場合でも、サーバ装置２のユーザＤＢ２５６に記憶されたオペレータの操作権限に応じて、当該オペレータの設定できる設定情報等の種類や設定できる範囲（本店・支店等）の設定入力画面等を、管理端末３の表示手段３３２に表示させるようにすればよい。
【産業上の利用可能性】
【００８７】
本発明は、特定の範囲内で金銭の代わりに通用される各種の有価証券に含まれるデータを読み取って、有価証券を管理するシステムで利用することができる。
【図面の簡単な説明】
【００８８】
【図１】有価証券管理システムの全体構成図である。
【図２】第１実施形態に係る有価証券管理システムを構成するシステム構成図である。
【図３】有価証券の模式図である。
【図４】第１実施形態に係る有価証券管理システムの機能ブロック図である。
【図５】キャッシュレジスタを登録するための設定入力画面を示す図である。
【図６】有価証券の券種を登録するための設定入力画面を示す図である。
【図７】読取処理指示を設定するための指示入力画面を示す図である。
【図８】サーバ装置及び読取装置の設定情報更新時の動作例を説明するためのフローチャートである。
【図９】第２実施形態に係る有価証券管理システムの機能ブロック図である。
【図１０】第２実施形態に係るサーバ装置及び読取装置の設定情報更新時の動作例を説明するためのフローチャートである。
【符号の説明】
【００８９】
１…有価証券管理システム、１００…発行元、１０２…サービス会社、１０３…ビール・飲料会社、１０４…メーカ会社、１０５…団体系会社、１０６…組合・連合会、２００…管理センタ、３００…取扱店、３０１…百貨店グループ、３０１…取扱店、３０１Ａ…本
３０１Ｂ，３０１Ｃ…支店、３０２…総合スーパーマーケット（ＧＭＳ）、３０２１…スーパーマーケット（ＳＭ）、３０３…テナント管理事務所、３０４…商店街組合、３０４１…商店、４００…卸商、４０１…酒類卸商、４０２…商品卸商、４０３…メーカ卸商、２…サーバ装置、２１…通信Ｉ／Ｆ、２２…入力部、２３…出力部、２３１…印字手段、２３２…表示手段、２５…記憶部、２５１…レジＤＢ、２５２…券種ＤＢ、２５３…特定仕様ＤＢ、２５４…識別用設定ＤＢ、２５５…読取指示ＤＢ、２５６…ユーザＤＢ、２５７…回収券ＤＢ、２６…制御部、２６１…抽出手段、２６２…入力画面生成手段、２６３…設定管理手段、２６４…読取処理指示手段、３，３Ａ，３Ｂ…管理端末、３１…通信Ｉ／Ｆ、３２…入力部、３３…出力部、３３１…印字手段、３３２…表示手段、３５…記憶部、３６…制御部、３６１…入力画面請求手段、３６２…設定情報生成手段、３６３…指示情報生成手段、４，４Ａ，４Ｂ，４Ｃ…読取装置、４１…通信Ｉ／Ｆ、４２…入力部、４３…出力部、４３１…印字手段、４３２…表示手段、４４…読取部、４４１…光学読取手段、４４２…磁気読取手段、４５…記憶部、４５１…レジマスタ、４５２…券種マスタ、４５３…特定仕様マスタ、４５４…識別用設定マスタ、４６…制御部、４６１…設定更新手段、４６２…読取制御手段、４６３…読取データ生成手段、４６４…判定手段、４６５…入力画面請求手段、４６６…設定情報生成手段、４６７…設定情報生成手段、５…通信ネットワーク、７，７Ａ，７Ｂ…キャッシュレジスタ
【図１】
2008226029.tif 000003
【図２】
2008226029.tif 000004
【図３】
2008226029.tif 000005
【図４】
2008226029.tif 000006
【図５】
2008226029.tif 000007
【図６】
2008226029.tif 000008
【図７】
2008226029.tif 000009
【図８】
2008226029.tif 000010
【図９】
2008226029.tif 000011
【図１０】
2008226029.tif 000012